(57)【要約】【課題】開弁初期段階における動作を安定させるとともに、冷却系回路内で循環される冷却液の温度を安定させることができるサーモスタット装置を提供すること。【解決手段】主弁体２１の筒状弁座１１への進入部２４外周には、閉弁時にその筒状弁座１１の内周面に弾性的に圧接される環状シールリップ２９が設けられている。この環状シールリップ２９は、感温可動体３１による主弁体２１の駆動方向に湾曲した凹凸を有する波形をなして設けられている。これにより、閉弁時における筒状弁座の内周面に対する環状シールリップの接触位置を、環状シールリップの周方向の位置に応じて主弁体の駆動方向にずらすことができる。このため、開弁初期段階では少ない流量で冷却液を流入させ、主弁体が開弁方向に移動するにつれて冷却液の流量を徐々に増大させることができ、開弁初期段階での動作を安定させることが可能となる。【選択図】図５
2010249143.tif 000002
【特許請求の範囲】
【請求項１】
筒状弁座と、前記筒状弁座の内側まで進入させられることで当該筒状弁座を閉弁する主弁体と、冷却液の温度を感知して前記主弁体を駆動させる感温可動体とを備え、冷却系回路内で冷却液の流量を制御するサーモスタット装置において、
前記主弁体の前記筒状弁座への進入部外周には、閉弁時に当該筒状弁座の内周面に弾性的に圧接される環状シールリップが設けられ、
前記環状シールリップは、前記感温可動体による前記主弁体の駆動方向に湾曲した凹凸を有する波形をなして設けられていること
を特徴とするサーモスタット装置。
【請求項２】
筒状弁座と、前記筒状弁座の内側まで進入させられることで当該筒状弁座を閉弁する主弁体と、冷却液の温度を感知して前記主弁体を前後に駆動させる感温可動体とを備え、エンジン冷却回路内で冷却液の流量を制御するサーモスタット装置において、
前記主弁体の前記筒状弁座への進入部外周には、環状シールリップが設けられ、
前記筒状弁座は、小径部と当該小径部に対して前記主弁体の進入口側に設けられる大径部とを有し、前記小径部と前記大径部とのうち小径部のみが前記環状シールリップに対して弾性的に圧接可能な内径とされるとともに、前記小径部と前記大径部との間に形成される段差部が前記感温可動体による前記主弁体の駆動方向に湾曲した凹凸を有する波形をなして設けられていること
を特徴とするサーモスタット装置。
【発明の詳細な説明】
【技術分野】
【０００１】
本発明は、例えば、冷却系回路内で循環される冷却液の流量を制御するサーモスタット装置に関するものである。
【背景技術】
【０００２】
図１３は、従来から提案されているサーモスタット装置１０１の代表的な一実施形態の構成を示す正面断面図であり、サーモスタット装置１０１の筒状弁座１１１に対して主弁体１２１が開弁された状態を示している。このサーモスタット装置１０１は、自動車用エンジンのラジエータ及びバイパス流路を介して冷却液を循環させる冷却系回路上に設置されるものとして説明する。
【０００３】
サーモスタット装置１０１は、内部に各種ポート１０３ａ、１０３ｂ、１０３ｃを介して冷却液が流出入する冷却液流路室１０３ｄが形成されたサーモスタットハウジング１０３内に固定されて用いられるものであり、筒状弁座１１１と、筒状弁座１１１の内側まで進入させられることでその筒状弁座１１１を閉弁する主弁体１２１と、冷却液の温度を感知して主弁体１２１を図１３に示す上下方向に駆動させる感温可動体１３１とを備えている。
【０００４】
また、サーモスタット装置１０１は、筒状弁座１１１の外側にフランジ状に設けられたフランジ部１１３に対してその両側が固定される支持枠１３３と、支持枠１３３の中央側においてその上端が支持されて、その下端側が感温可動体１３１内に収納されるピストンシャフト１３５とを更に備えている。また、サーモスタット装置１０１は、筒状弁座１１１のフランジ部１１３に対してその上部が固定されたフレーム１３７と、主弁体１２１とフレーム１３７の下部との間に設けられ、主弁体１２１を上側に押し付けるように付勢するメインスプリング１３９とを備えている。
【０００５】
サーモスタット装置１０１の主弁体１２１は、図１３に示すように、金属製の所定形状の弁体本体１２３における外周側端部１２３ｃよりも内周側に、外周側端部１２３ｃ上面に対して上側に凸状をなすような凸状部１２３ｄが形成されている。この凸状部１２３ｄの外周面１２３ｅには、弾性を有する合成ゴム等からなる環状弾性体１２５が接着されており、この環状弾性体１２５と凸状部１２３ｄとによって、閉弁時に筒状弁座１１１の内側まで進入する進入部１２４が構成されている。この環状弾性体１２５の外周面である、進入部１２４の外周面には、主弁体１２１の閉弁時に、筒状弁座１１１の内周面１１１ａに弾性的に圧接される環状シールリップ１２７が設けられている。
【０００６】
このように構成されるサーモスタット装置１０１では、感温可動体１３１の周囲に流入する冷却液の温度が所定温度より低い場合に、感温可動体１３１の内部に密封された熱膨張体が熱収縮しており、メインスプリング１３９が主弁体１２１を閉弁方向に付勢する力によって、ピストンシャフト１３５が感温可動体１３１内に図示の状態から押し戻される。これによって、主弁体１２１及び感温可動体１３１が閉弁方向に移動した後、主弁体１２１の外周側端部１２３ｃの上面が筒状弁座１１１のフランジ部１１３の下面に対して当接されて静止した状態で、筒状弁座１１１に対して主弁体１２１が閉弁されることになる。この場合において、環状シールリップ１２７は、筒状弁座１１１の内周面１１１ａに弾性的に圧接されており、これによって環状シールリップ１２７が圧接されている部位がシールされている。
【０００７】
感温可動体１３１の周囲に流入する冷却液の温度が所定温度以上になると、感温可動体１３１内に密封された熱膨張体が熱膨張してピストンシャフト１３５を押し出し動作する。これにより、感温可動体１３１が主弁体１２１とともに図１３における下方向に移動して、環状シールリップ１２７が筒状弁座１１１の内周面１１１ａから離間した後、図１３に示すように筒状弁座１１１に対して主弁体１２１が開弁されて、筒状弁座１１１と弁体本体１２３との間で冷却液の流通が始まることになる。
【０００８】
この後は、冷却液の温度変化量に応じて、感温可動体１３１内の熱膨張体の熱膨張、熱収縮によりピストンシャフト１３５が伸縮動作し、これにより主弁体１２１及び感温可動体１３１が移動することになる。
【０００９】
ところで、上述のサーモスタット装置１０１は、主弁体１２１の環状シールリップ１２７が図中上下方向での位置を変化させずに周方向に沿って設けられており、開弁時に周方向の全周に亘って環状シールリップ１２７が筒状弁座１１１の内周面１１１ａから一斉に離間しがちである。このため、例えば、エンジン内を通って循環される冷却液の温度上昇が早く、ウォーターポンプによる主弁体１２１の上下両側の差圧が大きい場合、ラジエータ内で低温化された冷却液が開弁直後に主弁体１２１の図中下側から上側に向けて急激に流入され、エンジン冷却回路内に低温化された冷却液が一気に流入されることになる。
【００１０】
これにより、冷却回路内での冷却液の温度はアンダーシュートを起こしてしまううえ、その反作用として主弁体１２１が閉弁されてしまうと、こんどは冷却液の温度がオーバーシュートを起こしてしまい、これら現象が繰り返されることでハンチングが発生してしまう場合がある。このハンチングは、特に、冬季等の外気温が低い場合に、温度幅が大きくなって生じるケースがあり、この結果、熱変化による熱ストレスのためエンジンに多大な悪影響を及ぼしてしまう。
【００１１】
そこで、従来より、上記のようなハンチングについての問題を解決するため、筒状弁座１１１や主弁体１２１の構造について改良した様々な技術が提案されている（例えば、特許文献１、２参照。）。
【００１２】
特許文献１に開示のサーモスタット装置においては、主弁体に設けられる環状弾性体の数箇所に、主弁体の上側から下側に向かって徐々に冷却液通路が狭くなるようなＶ字状の開口溝としての切欠が形成されている。また、この特許文献１に開示のサーモスタット装置は、環状弾性体が主弁体の外周側端部まで接着されており、筒状弁座のフランジ部の下面にこの環状弾性体が接離可能となるように環状突出部が設けられている。
【００１３】
このように構成されるサーモスタット装置は、閉弁状態から主弁体が少し移動した後の開弁初期段階ではこの切欠を通して小量の冷却液を流通させ、この状態から主弁体の開弁方向への移動量が増えるにつれて、冷却液の流量が徐々に増大するように動作することになる。
【００１４】
特許文献２に開示のサーモスタット装置においては、主弁体の外周側端部が筒状弁座のフランジ部側に向けて曲げ形成されており、環状弾性体が主弁体の外周側端部の内周側まで接着されている。このサーモスタット装置においては、筒状弁座のフランジ部の下面にこの環状弾性体が接離可能となるような環状突出部が設けられており、更に、筒状弁座のフランジ部に通水孔が形成されている。
【００１５】
このように構成されるサーモスタット装置は、閉弁時に環状弾性体の環状シールリップを筒状弁座の内周面に接触させるとともに、環状弾性体の環状突出部を筒状弁座のフランジ部に接触させている。開弁初期には、環状弾性体の環状突出部のみが筒状弁座のフランジ部から離間し、そのフランジ部の通水孔を介して小量の冷却液が通り、主弁体及び筒状弁座の前後での流量が小流量に制御される。この状態から主弁体が更に開弁方向に移動して、環状弾性体の環状シールリップが筒状弁座の内周面から離間すると、その環状シールリップと筒状弁座との間で冷却液の流通が始まることになり、冷却液の流量が本格的に増大することになる。
【先行技術文献】
【特許文献】
【００１６】
【特許文献１】特開平７−３０５７８７号公報
【特許文献２】特開平１１−３５１４４１号公報
【発明の概要】
【発明が解決しようとする課題】
【００１７】
ところで、上述した開示技術は、以下に説明するような問題点があった。
【００１８】
特許文献１の開示技術は、合成ゴム等からなる環状シールリップを含む環状弾性体の一部に切欠が形成された構成とされているため、筒状弁座及び主弁体の開閉動作を繰り返す際の環状弾性体に対する圧縮、摺りや、冷却液による膨潤が原因となって、この切欠いた部位の形状が変形してしまい、予め設定した弁開閉時の流量特性に変化が生じる恐れがある。
【００１９】
また、特許文献２の開示技術は、開弁初期流量を小量とするために通水孔を用いる構成としているが、このような通水孔は異物の詰まりや堆積により通推孔としての機能を喪失する恐れがあった。また、閉弁時に通水孔を閉じることができるようにするため、主弁体の外周側の寸法が外側に大きくなるように設定する必要があるうえ、通水孔の詰まり等の回避のために通水孔を大きくする場合には、尚更主弁体の外周側の寸法を大きく設定する必要があり、その結果、主弁体やサーモスタット装置全体の寸法を大きく設定する必要が生じる。これは、開弁時における冷却液の流通の抵抗増大を招く上、サーモスタット装置の小型化、軽量化並びにコストダウンを図る上で好ましいものとはいえなかった。
【００２０】
また、特許文献１及び特許文献２の開示技術の何れもが、閉弁時に切欠や通水孔を介して冷却液が流れるのを防ぐため、筒状弁座のフランジ部の下面に対して主弁体の外周側端部の上面を当接させる際に、主弁体の外周側端部の上面に接着された環状弾性体の環状突出部を弾性的に圧接させて、この環状突出部によってこれが圧接されている部位をシールする構成としている。
【００２１】
このような構成とした場合、筒状弁座の内周面で環状シールリップを介してシールする場合と比較して、主弁体の前後差圧の受圧有効面積を大きくすることになる。このため、差圧によって主弁体に対して作用する力が増大するため、この力に抗して主弁体を駆動させる感温可動体が受けるストレスも増大することになり、感温可動体の耐久性の低下を招く恐れがある。
【００２２】
また、このような構成とした場合、弁の開閉動作を繰り返す際に、環状突出部がゴム製の突起形状を成しており圧縮、摺り等によって変形してしまうと、閉弁時の主弁体の最終閉弁ポジション（感温可動体内に収納されたピストンシャフトの閉弁時のリフトポジション）が変化してしまい、冷却液の温度を制御する際の精度を損なう恐れがある。
【００２３】
そこで、本発明は、上述した問題点に鑑みて案出されたものであり、その目的とするところは、開弁初期段階における動作を安定させるとともに、冷却系回路内で循環される冷却液の温度を安定させることができ、上述した問題点を有利に解決できるサーモスタット装置を提供することにある。
【課題を解決するための手段】
【００２４】
請求項１に係る発明は、筒状弁座と、前記筒状弁座の内側まで進入させられることで当該筒状弁座を閉弁する主弁体と、冷却液の温度を感知して前記主弁体を駆動させる感温可動体とを備え、エンジン冷却回路内で冷却液の流量を制御するサーモスタット装置において、前記主弁体の前記筒状弁座への進入部外周には、閉弁時に当該筒状弁座の内周面に弾性的に圧接される環状シールリップが設けられ、前記環状シールリップは、前記感温可動体による前記主弁体の駆動方向に湾曲した凹凸を有する波形をなして設けられていることを特徴とする。
【００２５】
請求項２に係る発明は、筒状弁座と、前記筒状弁座の内側まで進入させられることで当該筒状弁座を閉弁する主弁体と、冷却液の温度を感知して前記主弁体を前後に駆動させる感温可動体とを備え、エンジン冷却回路内で冷却液の流量を制御するサーモスタット装置において、前記主弁体の前記筒状弁座への進入部外周には、環状シールリップが設けられ、前記筒状弁座は、小径部と当該小径部に対して前記主弁体の進入口側に設けられる大径部とを有し、前記小径部と前記大径部とのうち小径部のみが前記環状シールリップに対して弾性的に圧接可能な内径とされ、前記小径部と前記大径部とは、その境界面が、前記感温可動体による前記主弁体の駆動方向に湾曲した凹凸を有する波形をなして設けられていることを特徴とする。
【発明の効果】
【００２６】
請求項１に係る発明によれば、環状シールリップが感温可動体による主弁体の駆動方向に湾曲した凹凸を有する波形をなして設けられていることから、閉弁時における筒状弁座の内周面に対する環状シールリップの接触位置を、環状シールリップの周方向の位置に応じて主弁体の駆動方向にずらすことができる。これにより、開弁初期段階での冷却液の流量増減速度を適度に緩慢なものとすることが可能となり、開弁初期段階での動作を安定させるとともに、冷却回路内で循環される冷却液の温度を安定させることが可能となっている。
【００２７】
請求項２に係る発明によれば、筒状弁座の段差部が感温可動体による主弁体の駆動方向に湾曲した凹凸を有する波形をなして設けられていることから、開弁初期段階において、周方向に沿って設けられた環状シールリップの周方向の一部に亘る範囲のみを筒状弁座の内周面から離間させることができる。これにより、開弁初期段階での冷却液の流量増減速度を適度に緩慢なものとすることが可能となり、開弁初期段階での動作を安定させるとともに、冷却回路内で循環される冷却液の温度を安定させることが可能となっている。
【図面の簡単な説明】
【００２８】
【図１】サーモスタット装置が用いられる冷却系回路の構成を示すブロック図である。
【図２】筒状弁座に対して主弁体が閉弁された状態を示す第１実施形態のサーモスタット装置の部分断面正面図である。
【図３】筒状弁座に対して主弁体が開弁された状態を示す第１実施形態のサーモスタット装置の部分断面正面図である。
【図４】主弁体の環状シールリップの形状について説明するための図である。
【図５】サーモスタット装置の動作について説明するための図である。
【図６】第２実施形態のサーモスタット装置の部分断面正面図である。
【図７】筒状弁座の段差部の形状について説明するための図である。
【図８】第２実施形態のサーモスタット装置の動作について説明するための図である。
【図９】実施例１においてのリフト量に対する流量の関係を示すグラフである。
【図１０】図９において一点鎖線で示す範囲Ｓ８を拡大したグラフである。
【図１１】実施例２においてのリフト量に対する流量の関係を示すグラフである。
【図１２】実施例３においての時間に対する冷却液温度の関係を示すグラフである。
【図１３】従来技術について説明するための図である。
【発明を実施するための形態】
【００２９】
以下、本発明を実施するための形態として、自動車用エンジンの冷却液をラジエータ及びバイパス流路を介して循環させる冷却系回路上に設置されるサーモスタット装置について、図面を参照しながら詳細に説明する。
【００３０】
まず、本発明に係るサーモスタット装置が用いられる冷却系回路の一例について説明する。図１は、その冷却系回路６の一例を示すブロック図である。
【００３１】
冷却系回路６は、内燃機関としてのエンジン２と、冷却液の冷却を行なうラジエータ４と、本発明に係るサーモスタット装置１が内部に配置されるサーモスタットハウジング３とが、各流路７ａ、７ｂ、７ｃ及びバイパス流路７ｄにより接続されたエンジン冷却系回路として構成されている。この冷却系回路６内では、図示しないポンプ等の駆動を通じて冷却液が循環される。
【００３２】
図２、図３は、本発明に係る第１実施形態のサーモスタット装置１がサーモスタットハウジング３内に固定された状態を示す正面断面図であり、図２は、サーモスタット装置１の筒状弁座１１に対して主弁体２１が閉弁された状態を示しており、図３は、筒状弁座１１に対して主弁体２１が開弁された状態を示している。サーモスタットハウジング３は、図１〜図３に示すように、ラジエータ４に接続される流路７ｂ、エンジン２に接続される流路７ｃ及びラジエータ４を迂回する流路としてのバイパス流路７ｄに対して、それぞれラジエータ連結ポート３ａ、エンジン連結ポート３ｂ及びバイパス連結ポート３ｃを介して連結されている。サーモスタットハウジング３は、内部にエンジン側冷却液流路室としての感温室５５ａが設けられたハウジング本体５１に、内部にラジエータ側冷却液流路室５５ｂが設けられたハウジングカバー５３を取り付けて構成されている。サーモスタットハウジング３の感温室５５ａ及びラジエータ側冷却液流路室５５ｂからなる冷却液流路室５５には、各種ポート３ａ、３ｂ、３ｃを介して冷却液が流出入する。
【００３３】
次に、本発明に係るサーモスタット装置の第１実施形態について詳細に説明する。
【００３４】
サーモスタット装置１は、筒状弁座１１と、筒状弁座１１の内側まで進入させられることでその筒状弁座１１を閉弁する主弁体２１と、冷却液の温度を感知して主弁体２１を駆動させる感温可動体３１とを備えている。
【００３５】
また、サーモスタット装置１は、筒状弁座１１の外側にフランジ状に設けられたフランジ部１３に対してその両側が固定される支持枠３３と、支持枠３３の中央側においてその上端が支持されて、その下端側が感温可動体３１に対して摺動可能に収納されるピストンシャフト３５とを更に備えている。また、サーモスタット装置１は、筒状弁座１１のフランジ部１３に対してその上部が固定されたフレーム３７と、主弁体２１とフレーム３７の下部との間に設けられ、主弁体２１を上側に押し付けるように付勢する付勢手段としてのメインスプリング３９とを備えている。
【００３６】
なお、ここでいう感温可動体３１による主弁体２１の駆動方向は、図２、図３に示す上下方向のことを意味しており、筒状弁座１１の軸方向に対応している。
【００３７】
筒状弁座１１の外側にフランジ状に設けられたフランジ部１３の外周側端部にはパッキン４１が取り付けられている。筒状弁座１１は、サーモスタットハウジング３の内周壁に形成された凹溝内にパッキン４１を介して嵌合されることによって、フランジ部１３の外周側端部とサーモスタットハウジング３との間をシールした状態でサーモスタットハウジング３内に固定されている。
【００３８】
主弁体２１は、金属製の所定形状の弁体本体２３に対して、弾性を有する合成ゴム等からなる環状弾性体２５を接着することによって構成されている。
【００３９】
弁体本体２３は、その中央側に設けられた筒状部２３ａと、筒状部２３ａの外側にフランジ状に設けられるフランジ部２３ｂとを備えている。弁体本体２３のフランジ部２３ｂは、閉弁時に筒状弁座１１のフランジ部１３の下面に対して上面が当接される外周側端部２３ｃを有している。弁体本体２３のフランジ部２３ｂは、その外周側端部２３ｃよりも内周側に、外周側端部２３ｃ上面に対して上側に凸状をなすような凸状部２３ｄが形成されている。この凸状部２３ｄの外周面２３ｅには、筒状弁座１１の内周面１１ａとの間に介在されるように環状弾性体２５が接着されており、この弁体本体２３の凸状部２３ｄと環状弾性体２５とによって、閉弁時に筒状弁座１１の内側まで進入する進入部２４が構成されている。なお、弁体本体２３のフランジ部２３ｂの外周側端部２３ｃは、この進入部２４よりも外周側に設けられていることになる。
【００４０】
環状弾性体２５は、図３に示すように、環状弾性体２５の外周面に対して、換言すると、主弁体２１の進入部２４の外周面に対して環状シールリップ２７が設けられている。この環状シールリップ２７は、その断面形状が環状弾性体２５の外周面に対して径方向外側に凸状となるように形成されている。この環状シールリップ２７は、図２に示すように、主弁体２１の閉弁時に、筒状弁座１１の内周面１１ａに弾性的に圧接されるものであり、これによって環状シールリップ２７が圧接されている部位がシールされている。
【００４１】
図４は、主弁体２１の環状シールリップ２７の形状について説明するための図であり、図４（ａ）は、主弁体２１の外観を示す正面図であり、図４（ｂ）は、主弁体２１の外観を示す背面図である。また、図４（ｃ）は、環状弾性体２５の外周面上での環状シールリップ２７の先端の軌跡を示す環状弾性体２５の展開図である。なお、図４（ｃ）におけるＰ１〜Ｐ３で示される一点鎖線は、図４（ａ）、図４（ｂ）におけるＰ１〜Ｐ３が示す高さと同一の高さについて示すものである。
【００４２】
環状シールリップ２７は、図４に示すように、上下方向に湾曲した凹凸を有する波形をなして、環状弾性体２５の外周面の周方向に沿って設けられている。本実施形態においてこの環状シールリップ２７がなす波形は、図４（ｃ）に示すように、環状弾性体２５の周方向の全周に亘る範囲のうち、０度〜１２０度の範囲で形成される波形を一単位として、その波形が三回分周期的に繰り返されるように形成されている。
【００４３】
図４（ｃ）におけるＰ４で示される一点鎖線は、この環状シールリップ２７がなす波形の振幅中心を示している。本実施形態において形成される波形は、波形の振幅中心となる位置よりも下側に設けられる下側凸部２８ａと、その振幅中心となる位置よりも上側に設けられる上側凸部２８ｂとが交互に形成されてなるものであるが、下側凸部２８ａの波長のほうが上側凸部２８ｂの波長よりも短く形成されている。
【００４４】
環状シールリップ２７がこのように波形をなして設けられることによって、閉弁時における筒状弁座１１の内周面１１ａに対する環状シールリップ２７の接触位置が、環状シールリップ２７の周方向の位置に応じて図２、図３における上下方向にずれることになる。このことを図２に基づき説明すると、図２におけるＡ部における環状シールリップ２７の筒状弁座１１の内周面１１ａに対する接触位置は、Ａ部に対して周方向に１８０度回転させた位置にある図２におけるＢ部での接触位置よりも、図中上側にあることになる。
【００４５】
感温可動体３１は、その外周側に流入する冷却液の温度変化に応じて熱膨張、熱収縮するワックス等からなる熱膨張体がその内部に密封されている。
【００４６】
主弁体２１及び感温可動体３１は、感温可動体３１内の熱膨張体の熱膨張、収縮により、一体的に移動して、筒状弁座１１と主弁体２１との間での冷却液の流量を制御することになる。
【００４７】
次に、第１実施形態に係るサーモスタット装置１の動作について説明する。
【００４８】
本発明に係るサーモスタット装置１は、感温可動体３１の周囲に流入する冷却液の温度が感温可動体３１及び主弁体２１が上下方向に動作し始める所定温度より低い場合、図２に示すように、筒状弁座１１に対して主弁体２１が閉弁状態となる。この場合、図１に示す例で説明すると、冷却液がラジエータ４内を介さず、バイパス流路７ｄ及びエンジン２を介して循環されることになる。
【００４９】
感温可動体３１の周囲に流入する冷却液の温度がその所定温度まで上昇した場合、感温可動体３１内の熱膨張体が熱膨張して、主弁体２１及び感温可動体３１が下方向に移動し始める。その後は、冷却液の温度上昇量に応じた量だけ主弁体２１及び感温可動体３１が移動して、図３に示すような状態に移行することになる。この場合、図１に示す例で説明すると、ラジエータ４からの低温冷却液の流出量が増大し、一点鎖線で示す範囲Ｓ７の部位でバイパス流路７ｄからの冷却液と混合された冷却液がエンジン２に流入することになる。
【００５０】
図５は、第１実施形態に係るサーモスタット装置１の作動時における図２のＡ部とＢ部との動作状態を示す部分拡大図である。
【００５１】
筒状弁座１１に対して主弁体２１が閉弁状態とされている場合、図５（ａ）、図５（ｂ）に示すように、図２のＡ部とＢ部との何れにおいても、筒状弁座１１の内周面１１ａに対して環状シールリップ２７が弾性的に圧接されることになる。なお、図２のＡ部、Ｂ部においては、図５（ａ）のＳ１で示した部位、図５（ｂ）のＳ２で示した部位でそれぞれ環状シールリップ２７が弾性的に圧接されている。
【００５２】
図５（ｃ）、図５（ｄ）は、図５（ａ）、図５（ｂ）に示す状態から、主弁体２１が所定量移動した後の開弁初期段階の状態を示している。図２のＡ部においては、図５（ｃ）に示すように、開弁初期段階においても、筒状弁座１１の内周面１１ａに対して環状シールリップ２７が弾性的に圧接された状態のままとなる。なお、図５（ｃ）のＳ３で示した部位で環状シールリップ２７は弾性的に圧接されている。
【００５３】
これに対して、図２のＢ部においては、図５（ｄ）に示すように、開弁初期段階において、筒状弁座１１の内周面１１ａから環状シールリップ２７が離間して、Ｂ部において冷却液流路２９が形成され、この冷却液流路２９を通って図中の矢印に示す方向に冷却液が少ない流量で流出されることになる。
【００５４】
ここで、Ｂ部において形成される冷却液流路２９は、環状シールリップが上下方向に湾曲した凹凸を有する波形とされていることから、図５（ｃ）に示す状態から、主弁体２１が開弁方向である図中の下方向に移動するにつれて、徐々に周方向に広がるように大きくなることになり、冷却液流路２９を通る冷却液の流量が徐々に増大することになる。
【００５５】
図５（ｅ）、図５（ｆ）は、図５（ｃ）、図５（ｄ）に示す状態から、主弁体２１が更に所定量移動した後の本格開弁段階の状態を示している。この段階においては、図２のＡ部とＢ部との何れにおいても、筒状弁座１１の内周面１１ａから環状シールリップ２７が離間することになり、Ａ部とＢ部との何れにも冷却液流路２９が形成され、図中の矢印に示す方向に冷却液が流入されることになる。
【００５６】
このように、本発明に係るサーモスタット装置１によれば、環状シールリップ２７が上下方向に湾曲した凹凸を有する波形をなして設けられていることから、閉弁時における筒状弁座１１の内周面１１ａに対する環状シールリップ２７の接触位置を、環状シールリップ２７の周方向の位置に応じて上下方向にずらすことができる。これにより、開弁初期段階では少ない流量で冷却液を流出させ、主弁体２１が開弁方向に移動するにつれて冷却液の流量を徐々に増大させることができるうえ、冷却液の流量増減速度を適度に緩慢なものとすることが可能となっている。このため、開弁初期段階でのハンチングを抑制して開弁動作を安定させるとともに、冷却回路内で循環される冷却液の温度を安定させることが可能となっている。また、第１実施形態に係るサーモスタット装置１は、このような開弁動作を安定させるという効果を、環状シールリップの形状を変えるのみという簡単で安価な構成で得ることが可能となっている。
【００５７】
次に、本発明に係るサーモスタット装置１の第２実施形態について説明する。なお、上述した構成要素と同一の構成要素については、同一の符号を付すことにより以下での説明を省略する。
【００５８】
図６は、第２実施形態のサーモスタット装置１についての使用状態の一例を示す部分断面正面図であり、筒状弁座１１に対して主弁体２１が開弁された状態を示している。
【００５９】
第２実施形態のサーモスタット装置１は、第１実施形態のサーモスタット装置１と比較して、環状シールリップ２７、筒状弁座１１の構成のみが相違している。
【００６０】
第２実施形態のサーモスタット装置１の環状シールリップ２７は、上下方向に湾曲した凹凸を有する波形をなして設けられておらず、図中上下方向についての位置を一定としたまま、環状弾性体２５の外周面に対して、換言すると、主弁体２１の進入部２４の外周面に対して、その周方向に沿って設けられている。
【００６１】
図７は、第２実施形態のサーモスタット装置１の筒状弁座１１の構成について説明するための図であり、図７（ａ）は、筒状弁座１１の正面断面図であり、図７（ｂ）は、筒状弁座１１の背面断面図である。
【００６２】
筒状弁座１１は、小径部１５と、小径部１５に対して主弁体２１の進入口側である、図中下側に設けられる大径部１７と、小径部１５と大径部１７との間に形成される段差部１９とを更に有している。大径部１７は、小径部１５よりもその内形が大径となるように形成されている。筒状弁座１１は、この小径部１５と大径部１７とのうち小径部１５のみが環状シールリップ２７に対して弾性的に圧接可能な内径とされている。
【００６３】
筒状弁座１１の段差部１９は、本実施形態において、その内周面が湾曲した形状とされているが、小径部１５の内周面と大径部１７の内周面との間で段差が形成されていれば、平面状に形成されていてもよい。
【００６４】
図７（ｃ）は、筒状弁座１１の内周面での段差部１９の軌跡を示す筒状弁座１１の展開図である。なお、図７（ｃ）におけるＰ５〜Ｐ７で示される一点鎖線は、図７（ａ）、図７（ｂ）におけるＰ５〜Ｐ７が示す高さと同一の高さについて示すものである。
【００６５】
筒状弁座１１の段差部１９は、図７に示すように、上下方向に湾曲した凹凸を有する波形をなして、筒状弁座１１の周方向に沿って設けられている。本実施形態においてこの段差部１９がなす波形は、図７（ｃ）に示すように、筒状弁座１１の周方向の全周に亘る範囲のうち、０度〜１２０度の範囲で形成される波形を一単位として、その波形が三回分周期的に繰り返されるように形成されている。
【００６６】
図７（ｃ）におけるＰ８で示される一点鎖線は、この段差部１９がなす波形の振幅中心を示している。本実施形態において形成される波形は、波形の振幅中心となる位置よりも下側に設けられる下側凸部５６ａと、その振幅中心となる位置よりも上側に設けられる上側凸部５６ｂとが交互に形成されてなるものであるが、上側凸部５６ｂの波長のほうが下側凸部５６ａの波長よりも短く形成されている。
【００６７】
なお、主弁体２１は、筒状弁座１１の小径部１５の内周面に対して、閉弁時にその環状シールリップ２７が全周に亘る範囲で弾性的に圧接されるように、その上下方向についての設けられる位置が調整されている。
【００６８】
次に、第２実施形態に係るサーモスタット装置１の動作について説明する。
【００６９】
図８は、第２実施形態に係るサーモスタット装置１の作動時における図６のＣ部とＤ部との動作状態を示す部分拡大図である。
【００７０】
筒状弁座１１に対して主弁体２１が閉弁状態とされている場合、図８（ａ）、図８（ｂ）に示すように、図６のＣ部とＤ部との何れにおいても、筒状弁座１１の内周面１１ａに対して環状シールリップ２７が弾性的に圧接されることになる。なお、図６のＣ部、Ｄ部においては、図８（ａ）のＳ４で示した部位、図８（ｂ）のＳ５で示した部位でそれぞれ環状シールリップ２７が弾性的に圧接されている。
【００７１】
図８（ｃ）、図８（ｄ）は、図８（ａ）、図８（ｂ）に示す状態から、主弁体２１が所定量移動した後の開弁初期段階の状態を示している。開弁初期段階においては、図８（ｄ）に示すように、環状シールリップ２７の一部が、筒状弁座１１の小径部１５の内周面から離間して、大径部１７の内周面に対して径方向内側に位置するようになるまで、主弁体２１が図中下方向に移動させられることになる。これにより、Ｄ部において冷却液流路２９が形成され、この冷却液流路２９を通って図中の矢印に示す方向に冷却液が少ない流量で流出されることになる。これに対して、図６のＣ部においては、図８（ｃ）に示すように、開弁初期段階においても、筒状弁座１１の小径部１５の内周面に対して環状シールリップ２７が弾性的に圧接された状態のままとなる。なお、図８（ｃ）のＳ６で示した部位で環状シールリップ２７が弾性的に圧接されている。
【００７２】
図８（ｅ）、図８（ｆ）は、図８（ｃ）、図８（ｄ）に示す状態から、主弁体２１が更に所定量移動した後の本格開弁段階の状態を示している。この段階においては、図６のＣ部とＤ部との何れにおいても、筒状弁座１１の小径部１５の内周面から環状シールリップ２７が離間することになり、Ｃ部とＤ部との何れにおいても冷却液流路２９が形成され、図中の矢印に示す方向に冷却液が流出されることになる。
【００７３】
このように、第２実施形態に係るサーモスタット装置１においては、筒状弁座１１の段差部１９が上下方向に湾曲した凹凸を有する波形をなして設けられていることから、開弁初期段階において、周方向に沿って設けられた環状シールリップ２７の周方向の一部に亘る範囲のみを筒状弁座１１の内周面から離間させることができる。これにより、開弁初期段階では少ない流量で冷却液を流出させることができ、主弁体２１が開弁方向に移動するにつれて冷却液の流量を徐々に増大させることができるうえ、冷却液の流量増減速度を適度に緩慢なものとすることが可能となっている。このため、開弁初期段階でのハンチングを抑制して開弁動作を安定させるとともに、冷却回路内で循環される冷却液の温度を安定させることが可能となっている。
【００７４】
なお、本発明の第１実施形態、第２実施形態に係るサーモスタット装置１は、下記のような構成、効果を更に有するものである。
【００７５】
本発明に係るサーモスタット装置１によれば、開弁初期流量を少量とするためにフランジ部１３に通水孔を設ける必要がなくなるため、通水孔の異物の詰まり等による機能の喪失の恐れがなくなることは勿論のこと、主弁体２１全体の寸法を大きくする必要がなくなるため、サーモスタット装置１の小型化、軽量化並びにコストダウンを図るうえで優れたサーモスタット装置１を提供可能となる。
【００７６】
また、本発明における環状シールリップ２７は、その一部に切欠を形成させず、進入部２４の外周の全周に亘って連続して設けられていることが好ましい。これにより、筒状弁座１１に対して主弁体２１が開閉動作を繰り返す際の圧縮、摺りや、冷却液による膨潤が原因の環状シールリップ２７の形状変化が生じにくくなり、予め設定した弁開閉時の流量特性に変化が生じる恐れを大幅に低減可能となる。
【００７７】
また、本発明においては、上述したように、主弁体２１が、金属製の弁体本体２３における外周側端部２３ｃの上面を、筒状弁座１１のフランジ部１３の下面に対して直接当接された状態、即ち、特許文献１や特許文献２に開示のようなゴム製の環状突出部を介さずに閉弁されるようにすることが好ましい。これにより、従来に生じていた受圧有効面積が大きくなる恐れや、閉弁時の主弁体２１の最終閉弁ボジションの変化の恐れがなくなり、感温可動体３１の耐久性の低下や冷却液の温度制御の精度を損なうことなく、上述のような開弁初期段階での動作を安定させるという効果を発揮することが可能となる。
【００７８】
また、本発明において、第１実施形態の主弁体２１の環状シールリップ２７や、第２実施形態の筒状弁座１１の段差部１９がなす波形の形状は、周期的であってもよいし非周期的であってもよい。また、この波形は、第１実施形態においては下側凸部２８ａと上側凸部２８ｂとを一単位とした波形、第２実施形態においては下側凸部５６ａと上側凸部５６ｂとを一単位とした波形が一回のみ形成されるようにされていても、複数回形成されるようにされていてもよい。この一単位の波形が複数回形成されるようにした場合、各波形の形状、波長、振幅は、異なっていてもよい。また、この一単位の波形が複数回形成されるようにした場合、開弁初期段階に筒状弁座１１と主弁体２１との間に形成される冷却液流路２９について、周方向の偏りが無くなるように波形を調整することによって、サーモスタット装置１についての組み立て作業時に、方向特性の影響を考慮することなく組み立てることが可能となり、作業性が向上する。
【００７９】
また、第１実施形態の環状シールリップ２７がなす波形は、上述したように、下側凸部２８ａの波長の方が上側凸部２８ｂの波長よりも短く形成されるようにされていれば、これらの波長が同一とされて正弦波状の波形に形成された場合と比較して、開弁初期段階の冷却液流量を小さくすることが可能となる。これは、第２実施形態の段差部１９がなす波形を、上述したように、上側凸部５６ｂの波長の方が下側凸部５６ａの波長よりも短く形成されている場合にも同一のことがいえる。このように、本発明においては、環状シールリップ２７や段差部１９がなす波形の形状を調整することによって、開弁初期段階での所望の流量特性を容易に得ることが可能となっている。
【００８０】
なお、上述した各実施形態は、何れも本発明を実施するにあたってこれを具体化する際の例を示したものに過ぎず、これらによって本発明の技術的範囲が限定的に解釈されてはならない。このため、例えば、本発明におけるサーモスタット装置１は、上述したように、出口制御式のサーモスタット装置として用いられていてもよいし、図１の範囲Ｓ７に示すような部位に設置される入口制御式のサーモスタット装置として用いられていてもよい。また、本発明のサーモスタット装置１は、例えば、オイルクーラーがその回路中に設置され、冷却液としてのエンジンオイルが循環される冷却系回路に適用されていてもよい。
【００８１】
また、上述の筒状弁座１１や主弁体２１は、金属製の板材をプレス加工等して所定形状に成形され、上述の環状シールリップ２７が設けられた環状弾性体２５は、加硫接着等によって成形されつつ主弁体２１に接着される。
【実施例１】
【００８２】
以下、本発明の効果を実施例により更に説明する。本実施例１においては、図２、図３に示すような第１実施形態のサーモスタット装置を本発明例とし、図１３に示すような従来のサーモスタット装置を比較例として、これらの流量特性を比較検討することとした。具体的には、主弁体及び筒状弁座の前後に、エンジン冷却系回路で通常発生するレベルの一定の差圧を与え、主弁体の閉弁状態からのリフト量（開弁量）と、筒状弁座を通過してラジエータ連結ポート側に流出する冷却液の流量とを、本発明例と比較例とで比較検討することとした。
【００８３】
図９は、実施例１においてのリフト量に対する流量の関係を示すグラフであり、図１０は、図９において一点鎖線で示す範囲Ｓ８を拡大したグラフである。図９、図１０に示すように、リフト量の小さい開弁初期段階では、比較例よりも本発明例の方が、リフト量の増加に伴う冷却液の流量の増加が少なく、冷却液の流量を徐々に増大させることができ、冷却液の流量増減速度を適度に緩慢なものとすることが可能となっている点が確認できる。また、リフト量が大きい本格開弁段階では、本発明例の冷却液の流量が比較例の冷却液の流量と同程度のものとなっている点が確認できる。
【実施例２】
【００８４】
本実施例２においては、本実施例１と同様の本発明例及び比較例としてのサーモスタット装置を用いて、主弁体及び筒状弁座の前後に実施例１の条件よりも高差圧を与えて、リフト量と冷却液の流量とを、本発明例と比較例とで比較検討することとした。
【００８５】
図１１は、実施例２においての開弁初期段階でのリフト量に対する流量の関係を示すグラフである。図１１に示すように、比較例では開弁後すぐに急激な流量増加を起こすのに対して、本発明例では流量が緩やかに増大していることが確認できる。
【実施例３】
【００８６】
本実施例３においては、本実施例１と同様の本発明例及び比較例としてのサーモスタット装置を自動車のエンジン冷却系回路上に設置してエンジンの暖気運転をし、その際のエンジン出口側での冷却液の液温推移を、本発明例と比較例とで比較検討することとした。
【００８７】
図１２は、実施例３においての時間経過に対する冷却液温度の関係を示すグラフである。図１２に示すように、比較例ではハンチングが発生しているのに対して、本発明例ではハンチングを抑制できていることが確認できる。
【符号の説明】
【００８８】
１              サーモスタット装置
３              サーモスタットハウジング
５              冷却液流路
１１            筒状弁座
１３            フランジ部
１５            小径部
１７            大径部
１９            段差部
２１            主弁体
２３            弁体本体
２３ａ          筒状部
２３ｂ          フランジ部
２３ｃ          外周側端部
２３ｄ          凸状部
２４            進入部
２５            環状弾性体
２７            環状シールリップ
２９            冷却液流路
３１            感温可動体
３３            支持枠
３５            ピストンシャフト
３７            フレーム
３９            メインスプリング
４１            パッキン
【図１】
2010249143.tif 000003
【図２】
2010249143.tif 000004
【図３】
2010249143.tif 000005
【図４】
2010249143.tif 000006
【図５】
2010249143.tif 000007
【図６】
2010249143.tif 000008
【図７】
2010249143.tif 000009
【図８】
2010249143.tif 000010
【図９】
2010249143.tif 000011
【図１０】
2010249143.tif 000012
【図１１】
2010249143.tif 000013
【図１２】
2010249143.tif 000014
【図１３】
2010249143.tif 000015
【手続補正書】
【提出日】平成21年12月17日(2009.12.17)
【手続補正１】
【補正対象書類名】特許請求の範囲
【補正対象項目名】請求項２
【補正方法】変更
【補正の内容】
【請求項２】
筒状弁座と、前記筒状弁座の内側まで進入させられることで当該筒状弁座を閉弁する主弁体と、冷却液の温度を感知して前記主弁体を前後に駆動させる感温可動体とを備え、エンジン冷却回路内で冷却液の流量を制御するサーモスタット装置において、
前記主弁体の前記筒状弁座への進入部外周には、環状シールリップが設けられ、
前記筒状弁座は、小径部と当該小径部に対して前記主弁体の進入口側に設けられる大径部とを有し、前記小径部と前記大径部とのうち小径部のみが、前記環状シールリップが弾性的に圧接可能な内径とされるとともに、前記小径部と前記大径部との間に形成される段差部が前記感温可動体による前記主弁体の駆動方向に湾曲した凹凸を有する波形をなして設けられていること
を特徴とするサーモスタット装置。
【手続補正２】
【補正対象書類名】明細書
【補正対象項目名】００２５
【補正方法】変更
【補正の内容】
【００２５】
請求項２に係る発明は、筒状弁座と、前記筒状弁座の内側まで進入させられることで当該筒状弁座を閉弁する主弁体と、冷却液の温度を感知して前記主弁体を前後に駆動させる感温可動体とを備え、エンジン冷却回路内で冷却液の流量を制御するサーモスタット装置において、前記主弁体の前記筒状弁座への進入部外周には、環状シールリップが設けられ、前記筒状弁座は、小径部と当該小径部に対して前記主弁体の進入口側に設けられる大径部とを有し、前記小径部と前記大径部とのうち小径部のみが、前記環状シールリップが弾性的に圧接可能な内径とされ、前記小径部と前記大径部とは、その境界面が、前記感温可動体による前記主弁体の駆動方向に湾曲した凹凸を有する波形をなして設けられていることを特徴とする。
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
筒状弁座と、前記筒状弁座の内側まで進入させられることで当該筒状弁座を閉弁する主弁体と、冷却液の温度を感知して前記主弁体を駆動させる感温可動体とを備え、冷却系回路内で冷却液の流量を制御するサーモスタット装置において、
前記主弁体の前記筒状弁座への進入部外周には、閉弁時に当該筒状弁座の内周面に弾性的に圧接される環状シールリップがその全周に亘って連続して設けられ、
前記環状シールリップは、前記感温可動体による前記主弁体の駆動方向に湾曲した凹凸を有する波形をなして設けられていること
を特徴とするサーモスタット装置。
【請求項２】
閉弁状態から前記主弁体が移動して、前記筒状弁座の内周面から前記環状シールリップの湾曲した凸部が離間したときに冷却液の流出入がはじまるよう構成されていること
を特徴とする請求項１記載のサーモスタット装置。
【請求項３】
前記環状シールリップは、前記波形の振幅中心に対して前記主弁体の進入方向前側に位置する前側凸部よりも、その振幅中心に対して前側凸部と反対側に位置する後側凸部の方が、その波長が短くなるよう形成されていること
を特徴とする請求項１又は２記載のサーモスタット装置。
【請求項４】
筒状弁座と、前記筒状弁座の内側まで進入させられることで当該筒状弁座を閉弁する主弁体と、冷却液の温度を感知して前記主弁体を前後に駆動させる感温可動体とを備え、エンジン冷却回路内で冷却液の流量を制御するサーモスタット装置において、
前記主弁体の前記筒状弁座への進入部外周には、閉弁時に当該筒状弁座の内周面に弾性的に圧接される環状シールリップがその全周に亘って連続して設けられ、
前記筒状弁座は、小径部と当該小径部に対して前記主弁体の進入口側に設けられる大径部とを有し、前記小径部と前記大径部とのうち小径部のみが、前記環状シールリップが弾性的に圧接可能な内径とされ、前記小径部と前記大径部との間に形成される段差部が当該筒状弁座の全周に亘って連続して設けられ、前記段差部が前記感温可動体による前記主弁体の駆動方向に湾曲した凹凸を有する波形をなして設けられ、
閉弁状態から前記主弁体の環状シールリップが前記筒状弁座の段差部の湾曲した凸部まで移動して、前記筒状弁座の小径部の内周面から当該環状シールリップが離間したときに冷却液の流出入がはじまるよう構成されていること
を特徴とするサーモスタット装置。
【請求項５】
前記段差部は、前記波形の振幅中心に対して前記主弁体の進入方向後側に位置する後側凸部よりも、その振幅中心に対して後側凸部と反対側に位置する前側凸部の方が、その波長が短くなるよう形成されていること
を特徴とする請求項４記載のサーモスタット装置。
【手続補正２】
【補正対象書類名】明細書
【補正対象項目名】００２４
【補正方法】変更
【補正の内容】
【００２４】
請求項１に係る発明は、筒状弁座と、前記筒状弁座の内側まで進入させられることで当該筒状弁座を閉弁する主弁体と、冷却液の温度を感知して前記主弁体を駆動させる感温可動体とを備え、エンジン冷却回路内で冷却液の流量を制御するサーモスタット装置において、前記主弁体の前記筒状弁座への進入部外周には、閉弁時に当該筒状弁座の内周面に弾性的に圧接される環状シールリップがその全周に亘って連続して設けられ、前記環状シールリップは、前記感温可動体による前記主弁体の駆動方向に湾曲した凹凸を有する波形をなして設けられていることを特徴とする。
請求項２に係る発明は、請求項１に係る発明において、閉弁状態から前記主弁体が移動して、前記筒状弁座の内周面から前記環状シールリップの湾曲した凸部が離間したときに冷却液の流出入がはじまるよう構成されていることを特徴とする。
請求項３に係る発明は、請求項１又は請求項２に係る発明において、前記環状シールリップは、前記波形の振幅中心に対して前記主弁体の進入方向前側に位置する前側凸部よりも、その振幅中心に対して前側凸部と反対側に位置する後側凸部の方が、その波長が短くなるよう形成されていることを特徴とする。
【手続補正３】
【補正対象書類名】明細書
【補正対象項目名】００２５
【補正方法】変更
【補正の内容】
【００２５】
請求項４に係る発明は、筒状弁座と、前記筒状弁座の内側まで進入させられることで当該筒状弁座を閉弁する主弁体と、冷却液の温度を感知して前記主弁体を前後に駆動させる感温可動体とを備え、エンジン冷却回路内で冷却液の流量を制御するサーモスタット装置において、前記主弁体の前記筒状弁座への進入部外周には、閉弁時に当該筒状弁座の内周面に弾性的に圧接される環状シールリップがその全周に亘って連続して設けられ、前記筒状弁座は、小径部と当該小径部に対して前記主弁体の進入口側に設けられる大径部とを有し、前記小径部と前記大径部とのうち小径部のみが、前記環状シールリップが弾性的に圧接可能な内径とされ、前記小径部と前記大径部との間に形成される段差部が当該筒状弁座の全周に亘って連続して設けられ、前記段差部が前記感温可動体による前記主弁体の駆動方向に湾曲した凹凸を有する波形をなして設けられ、閉弁状態から前記主弁体の環状シールリップが前記筒状弁座の段差部の湾曲した凸部まで移動して、前記筒状弁座の小径部の内周面から当該環状シールリップが離間したときに冷却液の流出入がはじまるよう構成されていることを特徴とする。
請求項５に係る発明は、前記段差部は、前記波形の振幅中心に対して前記主弁体の進入方向後側に位置する後側凸部よりも、その振幅中心に対して後側凸部と反対側に位置する前側凸部の方が、その波長が短くなるよう形成されていることを特徴とする。
【手続補正４】
【補正対象書類名】明細書
【補正対象項目名】００２７
【補正方法】変更
【補正の内容】
【００２７】
請求項４に係る発明によれば、筒状弁座の段差部が感温可動体による主弁体の駆動方向に湾曲した凹凸を有する波形をなして設けられていることから、開弁初期段階において、周方向に沿って設けられた環状シールリップの周方向の一部に亘る範囲のみを筒状弁座の内周面から離間させることができる。これにより、開弁初期段階での冷却液の流量増減速度を適度に緩慢なものとすることが可能となり、開弁初期段階での動作を安定させるとともに、冷却回路内で循環される冷却液の温度を安定させることが可能となっている。